【手続補正書】
【提出日】平成19年2月1日(2007.2.1)
【手続補正１】
【補正対象書類名】明細書
【補正対象項目名】特許請求の範囲
【補正方法】変更
【補正の内容】
【特許請求の範囲】
【請求項１】
被写体の画像を撮影し、画像データを記録する画像撮影装置であって、
被写体の画像を撮像する撮像部と、
前記撮像部が出力する撮像出力信号を画像データとして記録し、前記画像データがＲＡＷデータである場合に、前記撮像出力信号の信号形式を識別する撮像信号形式識別情報を前記画像データとは別に記録する記録部と、
前記記録部が記録する撮像出力信号を再生表示するための再生信号に変換する信号処理部と、
前記信号処理部により変換された前記再生信号に基づいて画像を表示する表示部と
を備えたことを特徴とする画像撮影装置。
【請求項２】
前記撮像出力信号の１画素当たりのビット数は、前記再生信号の１画素当たりのビット数より大きいことを特徴とする請求項１に記載の画像撮影装置。
【請求項３】
前記撮像信号形式識別情報は、前記撮像部の機種を特定する機種識別情報であることを特徴とする請求項２に記載の画像撮影装置。
【請求項４】
前記撮像信号形式識別情報は、前記撮像部の機種に依存する画像データの画素数、画素配列、及び１画素当たりのビット数の少なくとも１つの機種依存情報であることを特徴とする請求項２に記載の画像撮影装置。
【請求項５】
前記記録部は、前記撮像出力信号を再生するための再生情報を前記画像データに付帯させて記録することを特徴とする請求項３または請求項４に記載の画像撮影装置。
【請求項６】
前記再生情報は、画像の明度、彩度、色バランス及び階調の少なくとも１つを補正する画像調整情報であることを特徴とする請求項５に記載の画像撮影装置。
【請求項７】
前記記録部は、該画像撮影装置の利用者が設定する明度、彩度、色バランス、色相及び階調の少なくとも１つを補正する利用者画像調整情報を前記画像データとは別に記録することを特徴とする請求項５に記載の画像撮影装置。
【請求項８】
前記信号処理部は、前記撮像部が出力する前記撮像出力信号を再生表示用の前記再生信号に変換し、前記表示部に表示させ、前記再生信号を圧縮し、前記記録部に画像データとして記録させることを特徴とする請求項２に記載の画像撮影装置。
【請求項９】
前記信号処理部は前記撮像出力信号に対して明度、彩度、色バランス及び階調の少なくとも１つを補正することにより前記再生信号に変換することを特徴とする請求項２または請求項８に記載の画像撮影装置。
【請求項１０】
前記記録部は、前記画像データを印刷処理するジョブ毎に、前記画像データのファイル名、印刷種別、印刷枚数、画像ファイル種別、前記機種識別情報または前記機種依存情報、及び前記利用者画像調整情報を規定するプリントジョブ情報を前記画像データとは別に記録することを特徴とする請求項７に記載の画像撮影装置。
【請求項１１】
画像データを入力し、画像処理を行う画像処理装置であって、
画像データの信号形式を識別する信号形式識別情報を前記画像データとは別に入力する入力部と、
前記信号形式識別情報が前記画像データはＲＡＷデータであることを示す場合に、前記画像データを入力して、前記信号形式識別情報に基づいて変換し、前記信号形式識別情報が前記画像データは圧縮符号化データであることを示す場合に、前記画像データを入力して、伸張する画像処理部と、
前記画像処理部が処理した画像データを出力する出力部と
を備えたことを特徴とする画像処理装置。
【請求項１２】
前記画像処理部は、前記画像データがＲＡＷデータである場合に、前記ＲＡＷデータを、前記ＲＡＷデータの１画素当たりのビット数より小さいビット数の画像データに変換することを特徴とする請求項１１に記載の画像処理装置。
【請求項１３】
前記信号形式識別情報は、前記画像データを撮像した撮像装置の機種を特定する機種識別情報を含み、
前記画像処理部は、前記画像データがＲＡＷデータである場合に、前記機種識別情報に基づいて前記ＲＡＷデータを変換することを特徴とする請求項１２に記載の画像処理装置。
【請求項１４】
前記信号形式識別情報は、前記画像データを撮像した撮像装置の機種に依存する画像データの画素数、画素配列、及び１画素当たりのビット数の少なくとも１つの機種依存情報を含み、
前記画像処理部は、前記画像データがＲＡＷデータである場合に、前記機種依存情報に基づいて前記ＲＡＷデータを変換することを特徴とする請求項１２に記載の画像処理装置。
【請求項１５】
前記入力部は、前記画像データに付帯された、前記画像データを再生するための再生情報を入力し、
前記画像処理部は、前記画像データを前記再生情報に基づいて変換することを特徴とする請求項１３または請求項１４に記載の画像処理装置。
【請求項１６】
前記再生情報は、画像の明度、彩度、色バランス及び階調の少なくとも１つを補正する画像調整情報であり、
前記画像処理部は、前記画像調整情報に基づいて前記画像データを変換することを特徴とすることを特徴とする請求項１５に記載の画像処理装置。
【請求項１７】
前記入力部は、画像撮影装置の利用者が設定する明度、彩度、色バランス、色相及び階調の少なくとも１つを補正する利用者画像調整情報を入力し、
前記画像処理部は、前記画像データを前記利用者画像調整情報に基づいて変換することを特徴とする請求項１５に記載の画像処理装置。
【請求項１８】
前記入力部は、前記画像データを印刷処理するジョブに関するプリントジョブ情報を入力し、前記プリントジョブ情報は、前記ジョブ毎に、前記画像データのファイル名、印刷種別、印刷枚数、画像ファイル種別、前記機種識別情報または前記機種依存情報、及び前記利用者画像調整情報を規定することを特徴とする請求項１７に記載の画像処理装置。
【請求項１９】
撮影された画像を入力し、画像データを記録するコンピュータ用のプログラムを格納した記録媒体であって、前記プログラムが、
撮影された画像を入力させる入力モジュールと、
前記入力モジュールが入力する画像信号を画像データとして記録させ、前記画像データがＲＡＷデータである場合に、前記画像信号の信号形式を識別する信号形式識別情報を前記画像データとは別に記録させる記録モジュールと、
前記記録モジュールが記録する画像信号を再生表示するための再生信号に変換させる信号処理モジュールと、
前記信号処理モジュールにより変換された前記再生信号に基づいて画像を表示させる表示モジュールと
を備えたことを特徴とする記録媒体。
【請求項２０】
画像データを入力し、画像処理を行うコンピュータ用のプログラムを格納した記録媒体であって、前記プログラムが、
画像データの信号形式を識別する信号形式識別情報を前記画像データとは別に入力させる入力モジュールと、
前記信号形式識別情報が前記画像データはＲＡＷデータであることを示す場合に、前記画像データを入力して、前記信号形式識別情報に基づいて変換させ、前記信号形式識別情報が前記画像データは圧縮符号化データであることを示す場合に、前記画像データを入力して、伸張させる画像処理モジュールと、
処理された画像データを出力させる出力モジュールと
を備えたことを特徴とする記録媒体。
【請求項２１】
画像データを入力し、画像処理を行う画像処理方法であって、
画像データの信号形式を識別する信号形式識別情報を前記画像データとは別に入力し、
前記信号形式識別情報が前記画像データはＲＡＷデータであることを示す場合に、前記画像データを入力して、前記信号形式識別情報に基づいて変換し、
前記信号形式識別情報が前記画像データは圧縮符号化データであることを示す場合に、前記画像データを入力して、前記画像データを伸張し、変換または伸張された前記画像データを出力する
ことを特徴とする画像処理方法。